(57)【要約】      （修正有） 【課題】フードの使用時はもちろんのこと、不使用時でも外観や着用時の感触が損なわれることなく、かつフードの不使用時にフード部分が移動しない、首筋を覆う襟となるように形成することができるパーカーを提供する。【解決手段】上着本体にフード３が縫着されたパーカー１において、フードとしての不使用時にフードを反転して、内部にタオルやクッション材の芯材４を収納状態に保持できる保持手段５を用い、首筋を覆う襟やマクラ、ネッククッションとなるように形成してパーカーを構成している。【選択図】図２
0003168745.tif 000002
【実用新案登録請求の範囲】
【請求項１】
上着本体にフードが縫着されたパーカーにおいて、フードとしての不使用時にフードを反転して、内部にタオルやクッション材の芯材を収納状態に保持できる保持手段を用いた、首筋を覆う襟やマクラ、ネッククッションとなるように形成したことを特徴とするパーカー。
【請求項２】
フードの開口端部の下部位置に該位置を閉じることができる少なしとも１個以上スナップボタンを取り付けるとともに、芯材は長方形状の板状に形成され、保持手段はフードの中央部の先端部と後端部とを止めるボタンであることを特徴とする請求項1記載のパーカー。
【考案の詳細な説明】
【技術分野】
【０００１】
本考案は上着本体にフードが縫着されたパーカーに関する。
【背景技術】
【０００２】
従来のパーカーは上着本体にフードが縫着されているため、フードを使用している時には問題が生じないが、フードの不使用時にはフードが頭部の後方に押し付けられ、外観が損なわれるとともに、着用時の感触が損なわれるという欠点があった。
【先行技術文献】
【特許文献】
【０００３】
【特許文献１】実公昭４０−５６０５号公報
【考案の概要】
【考案が解決しようとする課題】
【０００４】
本考案は以上のような従来の欠点に鑑み、フードの使用時はもちろんのこと、不使用時でも外観や着用時の感触が損なわれることなく、かつフードの不使用時にフード部分が移動しない、首筋を覆う襟やマクラ、ネッククッションとなるように形成することができるパーカーを提供することを目的としている。
【０００５】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】
上記目的を達成するために、本考案は上着本体にフードが縫着されたパーカーにおいて、フードとしての不使用時にフードを反転して、内部にタオルやクッション材の芯材を収納状態に保持できる保持手段を用いた、首筋を覆う襟やマクラ、ネッククッションとなるように形成してパーカーを構成している。
【考案の効果】
【０００７】
以上の説明から明らかなように、本考案にあっては次に列挙する効果が得られる。
（１）請求項1により、フードとしての不使用時に、フードを反転して内部にタオルやクッション材の芯材を収納状態に保持できる保持手段を用いて、首筋を覆う襟やマクラ、ネッククッションとなるようにできる。
したがって、フードとしての不使用時の外観や着用時の感触を損なうことなく使用できる。    
（２）前記（１）により、不使用時に芯材を用い保持手段で保持するので、首筋を覆う襟やマクラ、ネッククッション形状に比較的容易にできるとともに、動いても移動することがなく、着くずれを防止することができる。
（３）前記（１）によって、芯材によって形状の保持およびマクラ、ネッククッションとしての使用ができ、保温効果の向上も図ることができる。
（４）請求項２も前記（１）〜（３）と同様な効果が得られるとともに、誰でもが簡単に操作できるボタンを用いた保持手段で、容易にフードを襟状やマクラ、ネッククッションに固定することができる。
【図面の簡単な説明】
【０００８】
【図１】本考案を実施するための第１の形態の使用状態の説明図。
【図２】本考案を実施するための第１の形態のフードの不使用状態の説明図。
【図３】本考案を実施するための第１の形態の要部断面図。
【図４】本考案を実施するための第１の形態の芯材の説明図。
【図５】本考案を実施するための第２の形態の使用状態の説明図。
【図６】本考案を実施するための第２の形態のフードの不使用状態の説明図。
【図７】本考案を実施するための第２の形態の要部断面図。
【図８】本考案を実施するための第３の形態の使用状態の説明図。
【図９】本考案を実施するための第３の形態のフードの不使用状態の説明図。
【図１０】本考案を実施するための第３の形態の芯材の説明図。
【図１１】本考案を実施するための第４の形態の使用状態の説明図。
【図１２】本考案を実施するための第４の形態のフードの不使用状態の側面図。
【図１３】本考案を実施するための第４の形態のフードの不使用状態の正面図。
【考案を実施するための形態】
【０００９】
以下、図面に示す本考案を実施するための形態により、本考案を詳細に説明する。
【００１０】
図１ないし図４に示す本考案を実施するための第１の形態において、１は本考案のパーカーで、このパーカー1は上着本体２と、この上着本体２に縫着されたフード３と、このフード３の不使用時に該フード３を反転して内部にタオルやクッション材等の芯材４を収納状態にし、該状態を保持して首筋を覆う襟となるようにする保持手段５とで構成されている。
【００１１】
前記保持手段５は前記フード３の先端中央部の外側に固定された一方のスナップボタン６と、前記フード３の根元中央部の外側に固定された他方のスナップボタン７とで構成されている。
【００１２】
上記構成のパーカー１は、図１に示すようにフード３を頭部８にかぶって使用する。
フード３の不使用時には図２、図４に示すように、フード３を反転して内部に芯材４を収納状態にして、保持手段５の一方のスナップボタン６と他方のスナップボタン７とからなるスナップボタン９で閉じ、フード３部分が首筋を覆う襟やマクラ、ネッククッションとなるように形を整える。
【００１３】
この状態で着用することにより、フード３部分が首筋を覆う形状となり、首筋の保温や保護を図ることができ、マクラ、ネッククッションとしての使用ができ、動いても首筋を覆う状態となったフード３部分が移動したりすることなく、そのままの状態を保つことができる。
【００１４】
[考案を実施するための異なる形態]
次に、図５ないし図１３に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１５】
図５ないし図７に示す本考案を実施するための第２の形態において、前記本考案を実施するための第１の形態と主に異なる点は、フード３の両端部寄りの部位にも一方のスナップボタン６、６と、他方のスナップボタン７、７を取付けた点で、このようにしてフード３の不使用時にフード３をスナップボタン９、９、９で確実に固定できるようにしたパーカー１Ａにしても、前記本考案を実施するための第１の形態と同様な作用効果が得られる。
【００１６】
図８ないし図１０に示す本考案を実施するための第３の形態において、前記本考案を実施するための第１の形態と主に異なる点は、両端部より中央部が大きく形成された芯材４Ａを用いた点で、このような芯材４Ａを用いたパーカー１Ｂにしても、前記本考案を実施するための第１の形態と同様な作用効果が得られる。
【００１７】
図１１ないし図１３に示す本考案を実施するための第４の形態において、前記本考案を実施するための第１の形態と主に異なる点は、フード３の開口端部の下部位置を図１３に示すように閉じることができる少なしとも１個以上、本発明の実施の形態では２個のスナップボタン９、９を取り付けた点で、このようにフード３の開口端部の下部位置にスナップボタン９、９を取り付けたパーカー１Ｃにしても、前記本考案を実施するための第１の形態と同様な作用効果が得られるとともに、フード３の不使用時にスナップボタン９、９を閉じることにより首の前部も効率よく覆うことができる。
【産業上の利用可能性】
【００１８】
本考案はフードを首筋を覆う襟やマクラ、ネッククッションとなるように形成したパーカーを製造する産業で利用される。
【符号の説明】
【００１９】
１、１Ａ、１Ｂ、１Ｃ：パーカー、
２、：上着本体、              ３：フード、  
４、４Ａ：芯材、              ５：保持手段、
６：一方のスナップボタン、    ７：他方のスナップボタン、
８：頭部、                    ９：スナップボタン。
【図１】
0003168745.tif 000003
【図２】
0003168745.tif 000004
【図３】
0003168745.tif 000005
【図４】
0003168745.tif 000006
【図５】
0003168745.tif 000007
【図６】
0003168745.tif 000008
【図７】
0003168745.tif 000009
【図８】
0003168745.tif 000010
【図９】
0003168745.tif 000011
【図１０】
0003168745.tif 000012
【図１１】
0003168745.tif 000013
【図１２】
0003168745.tif 000014
【図１３】
0003168745.tif 000015
【手続補正書】
【提出日】平成23年4月14日(2011.4.14)
【手続補正１】
【補正対象書類名】明細書
【補正対象項目名】全文
【補正方法】変更
【補正の内容】
【考案の詳細な説明】
【技術分野】
【０００１】
本考案は上着本体にフードが縫着されたパーカーに関する。
【背景技術】
【０００２】
従来のパーカーは上着本体にフードが縫着されているため、フードを使用している時には問題が生じないが、フードの不使用時にはフードが頭部の後方に押し付けられ、外観が損なわれるとともに、着用時の感触が損なわれるという欠点があった。
【先行技術文献】
【特許文献】
【０００３】
【特許文献１】実公昭４０−５６０５号公報
【考案の概要】
【考案が解決しようとする課題】
【０００４】
本考案は以上のような従来の欠点に鑑み、フードの使用時はもちろんのこと、不使用時でも外観や着用時の感触が損なわれることなく、かつフードの不使用時にフード部分が移動しない、首筋を覆う襟やマクラ、ネッククッションとなるように形成することができるパーカーを提供することを目的としている。
【０００５】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】
上記目的を達成するために、本考案は上着本体にフードが縫着されたパーカーにおいて、フードとしての不使用時にフードを反転して、内部にタオルやクッション材の芯材を収納状態に保持できるように該フードの中央部の先端部と後端部とを止めるボタンを取り付け、首筋を覆う襟やマクラ、ネッククッションとなるように形成してパーカーを構成している。
【考案の効果】
【０００７】
以上の説明から明らかなように、本考案にあっては次に列挙する効果が得られる。
（１）請求項1により、フードとしての不使用時に、フードを反転して内部にタオルやクッション材の芯材を収納状態に保持できるように該フードの中央部の先端部と後端部とを止めるボタンを取り付け、首筋を覆う襟やマクラ、ネッククッションとなるようにできる。
したがって、フードとしての不使用時の外観や着用時の感触を損なうことなく使用できる。    
（２）前記（１）により、不使用時に芯材を用いボタンで保持するので、首筋を覆う襟やマクラ、ネッククッション形状に比較的容易にできるとともに、動いても移動することがなく、着くずれを防止することができる。
（３）前記（１）によって、芯材によって形状の保持およびマクラ、ネッククッションとしての使用ができ、保温効果の向上も図ることができる。
（４）請求項２も前記（１）〜（３）と同様な効果が得られるとともに、誰でもが簡単に操作できるボタンを用いているので、容易にフードを襟状やマクラ、ネッククッションに固定することができる。
【図面の簡単な説明】
【０００８】
【図１】本考案を実施するための第１の形態の使用状態の説明図。
【図２】本考案を実施するための第１の形態のフードの不使用状態の説明図。
【図３】本考案を実施するための第１の形態の要部断面図。
【図４】本考案を実施するための第１の形態の芯材の説明図。
【図５】本考案を実施するための第２の形態の使用状態の説明図。
【図６】本考案を実施するための第２の形態のフードの不使用状態の説明図。
【図７】本考案を実施するための第２の形態の要部断面図。
【図８】本考案を実施するための第３の形態の使用状態の説明図。
【図９】本考案を実施するための第３の形態のフードの不使用状態の説明図。
【図１０】本考案を実施するための第３の形態の芯材の説明図。
【図１１】本考案を実施するための第４の形態の使用状態の説明図。
【図１２】本考案を実施するための第４の形態のフードの不使用状態の側面図。
【図１３】本考案を実施するための第４の形態のフードの不使用状態の正面図。
【考案を実施するための形態】
【０００９】
以下、図面に示す本考案を実施するための形態により、本考案を詳細に説明する。
【００１０】
図１ないし図４に示す本考案を実施するための第１の形態において、１は本考案のパーカーで、このパーカー1は上着本体２と、この上着本体２に縫着されたフード３と、このフード３の不使用時に該フード３を反転して内部にタオルやクッション材等の芯材４を収納状態にし、該状態を保持して首筋を覆う襟となるようにする保持手段５とで構成されている。
【００１１】
前記保持手段５は前記フード３の先端中央部の外側に固定された一方のスナップボタン６と、前記フード３の根元中央部の外側に固定された他方のスナップボタン７とで構成されている。
【００１２】
上記構成のパーカー１は、図１に示すようにフード３を頭部８にかぶって使用する。
【００１３】
フード３の不使用時には図２、図４に示すように、フード３を反転して内部に芯材４を収納状態にして、保持手段５の一方のスナップボタン６と他方のスナップボタン７とからなるスナップボタン９で閉じ、フード３部分が首筋を覆う襟やマクラ、ネッククッションとなるように形を整える。
【００１４】
この状態で着用することにより、フード３部分が首筋を覆う形状となり、首筋の保温や保護を図ることができ、マクラ、ネッククッションとしての使用ができ、動いても首筋を覆う状態となったフード３部分が移動したりすることなく、そのままの状態を保つことができる。
【００１５】
[考案を実施するための異なる形態]
次に、図５ないし図１３に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１６】
図５ないし図７に示す本考案を実施するための第２の形態において、前記本考案を実施するための第１の形態と主に異なる点は、フード３の両端部寄りの部位にも一方のスナップボタン６、６と、他方のスナップボタン７、７を取付けた点で、このようにしてフード３の不使用時にフード３をスナップボタン９、９、９で確実に固定できるようにしたパーカー１Ａにしても、前記本考案を実施するための第１の形態と同様な作用効果が得られる。
【００１７】
図８ないし図１０に示す本考案を実施するための第３の形態において、前記本考案を実施するための第１の形態と主に異なる点は、両端部より中央部が大きく形成された芯材４Ａを用いた点で、このような芯材４Ａを用いたパーカー１Ｂにしても、前記本考案を実施するための第１の形態と同様な作用効果が得られる。
【００１８】
図１１ないし図１３に示す本考案を実施するための第４の形態において、前記本考案を実施するための第１の形態と主に異なる点は、フード３の開口端部の下部位置を図１３に示すように閉じることができる少なしとも１個以上、本発明の実施の形態では２個のスナップボタン９、９を取り付けた点で、このようにフード３の開口端部の下部位置にスナップボタン９、９を取り付けたパーカー１Ｃにしても、前記本考案を実施するための第１の形態と同様な作用効果が得られるとともに、フード３の不使用時にスナップボタン９、９を閉じることにより首の前部も効率よく覆うことができる。
【産業上の利用可能性】
【００１９】
本考案はフードを首筋を覆う襟やマクラ、ネッククッションとなるように形成したパーカーを製造する産業で利用される。
【符号の説明】
【００２０】
１、１Ａ、１Ｂ、１Ｃ：パーカー、
２：上着本体、                ３：フード、  
４、４Ａ：芯材、              ５：保持手段、
６：一方のスナップボタン、    ７：他方のスナップボタン、
８：頭部、                    ９：スナップボタン。
【手続補正２】
【補正対象書類名】実用新案登録請求の範囲
【補正対象項目名】全文
【補正方法】変更
【補正の内容】
【実用新案登録請求の範囲】
【請求項１】
上着本体にフードが縫着されたパーカーにおいて、フードとしての不使用時にフードを反転して、内部にタオルやクッション材の芯材を収納状態に保持できるように該フードの中央部の先端部と後端部とを止めるボタンを取り付け、首筋を覆う襟やマクラ、ネッククッションとなるように形成したことを特徴とするパーカー。
【請求項２】
フードの開口端部の下部位置に該位置を閉じることができる少なくとも１個以上スナップボタンを取り付けるとともに、芯材は長方形状の板状に形成され、保持手段はフードの中央部の先端部と後端部とを止めるボタンであることを特徴とする請求項1記載のパーカー。